(57)【要約】【課題】片持ち状や支柱間等に設置する場合に、煩雑な手間や複雑な構造を必要とせず、軽量で容易に形成可能である内照式情報表示装置を提供せんとするものである。【解決手段】上下横枠材１１が強度保持用のリブ１１６を備えたアルミニウム押出型材からなることで、片持ち状としたり支柱等の間に差し渡したりしても、強度保持用のリブ１１６により強度が確保され補強材等を追加して設ける必要がなく、煩雑な手間や複雑な構造とせずに長期の使用や不測の荷重等により変形の起こる恐れの少ない情報表示装置を得ることができる。更にアルミニウム押出型材を用いていることで、軽量で容易、且つ腐食の恐れの小さい内照式の情報表示装置が形成可能となり得る。【参照図】        図４【特許請求の範囲】
【請求項１】
上下横枠材と左右縦枠材により形成された枠体により中空部が形成されて該中空部に照明装置を配置し、該照明装置より放出された光を前記枠体のいずれか少なくとも一方に中空部を覆うように設けられた透光性の表示板を透過させて情報を表示する左右縦枠材のいずれかが少なくとも一方が固定されて設置された情報表示装置であって、上下横枠材が強度保持用のリブを備えたアルミニウム押出形材からなることを特徴とする内照式情報表示装置。
【請求項２】
表示板は、上下横枠材と嵌合してヒンジ構造となる取付枠を備え、該ヒンジ構造により前記中空部に対して開閉可能となされていることを特徴とする内照式情報表示装置。
【請求項３】
表示板は、中空部を覆っている状態において、取付枠と、上下横枠材に取り付けられたパッキンとの間に挟持されていることを特徴とする請求項２に記載の内照式情報表示装置。
【請求項４】
上下横枠材は、中空部側にボルトの頭部及び／又はナットが摺動可能に挿入できる取付溝が形成され、該取付溝を用いて照明装置が固定されることを特徴とする請求項１〜３のいずれかに記載の内照式情報表示装置。
【発明の詳細な説明】
【技術分野】
【０００１】
本発明は、建造物の壁面や支柱間等に取り付けられる内照式の情報表示装置に関するものである。
【背景技術】
【０００２】
従来、内照式の表示装置については種々の製品が発明されてきており、例えば特許文献１には、本体枠と本体枠に開閉及び着脱自在に取り付けられた表示枠からなる壁面シート看板において、上部に横方向の同一断面形状係合溝を有する本対話卯が一体的又は、複数の本体枠を横方向に連結して所定の大きさに形成され、本体枠の連結位置とは無関係にそれぞれ、それぞれ１枚の表示シートを張設し、かつ、上部横方向に係合片を有する複数の表示枠を横方向に併設して当該本体枠の大きさに対応させることで、部分本体枠の連結位置に関係なく、表示事項に合わせた任意の長さの表示枠を係合取り付けできる壁面シート看板が開示されている。
【０００３】
【特許文献１】特開２００２−１３２１９１号公報
【発明の開示】
【発明が解決しようとする課題】
【０００４】
しかしながら、特許文献１に記載の如き壁面シート看板は、片持ち状に設置しようとした場合、本体枠の強度が不足し、補強材等により強度を補う必要があり、形成に煩雑な手間や複雑な構造を必要とするものであった。また補強材等により補強することで、壁面シート看板が更に重量が嵩むものとなり、補強材を増やす必要が出てくるといった悪循環に陥る場合がある。
【０００５】
本発明は、上記の如き課題に鑑みてなされたものであり、片持ち状に設置する場合に煩雑な手間や複雑な構造を必要とせず、軽量で容易に形成可能である内照式情報表示装置を提供せんとするものである。
【課題を解決するための手段】
【０００６】
上記課題を解決するため、本発明は以下のような構成としている。すなわち、本発明に係わる上下横枠材と左右縦枠材により形成された枠体により中空部が形成されて該中空部に照明装置を配置し、該照明装置より放出された光を前記枠体のいずれか少なくとも一方に中空部を覆うように設けられた透光性の表示板を透過させて情報を表示する左右縦枠材のいずれかが少なくとも一方が固定されて設置された情報表示装置であって、上下横枠材が強度保持用のリブを備えたアルミニウム押出形材からなることを特徴とするものである。
【０００７】
また前記表示板は、上下横枠材と嵌合してヒンジ構造となる取付枠を備え、該ヒンジ構造により前記中空部に対して開閉可能となされていることを特徴とするものである。
【０００８】
また前記表示板は、中空部を覆っている状態において、取付枠と、上下横枠材に取り付けられたパッキンとの間に挟持されていることを特徴とするものである。
【０００９】
また前記上下横枠材は、中空部側にボルトの頭部及び／又はナットが摺動可能に挿入できる取付溝が形成され、該取付溝を用いて照明装置が固定されることを特徴とするものである。
【発明の効果】
【００１０】
請求項１に記載の本発明に係わる、上下横枠材が強度保持用のリブを備えたアルミニウム押出型材からなることで、片持ち状としたり支柱等の間に差し渡したりしても、強度保持用のリブにより強度が確保され補強材等を追加して設ける必要がなく、煩雑な手間や複雑な構造とせずに長期の使用や不測の荷重等により変形の起こる恐れの少ない情報表示装置を得ることができる。更にアルミニウム押出型材を用いていることで、軽量で容易、且つ腐食の恐れの小さい内照式の情報表示装置が形成可能となり得る。
【００１１】
また請求項２の発明によれば、清掃や照明装置等のメンテナンスが簡便に行うことができ好ましい。
【００１２】
また請求項３の発明によれば、中空部を覆っている状態において、取付枠と、上下横枠材に取り付けられたパッキンとの間に挟持されていれば、風圧や振動等による動揺を防ぎ、表示板の耐久性向上や騒音の発生防止に繋がり好ましい。
【００１３】
また請求項４の発明によれば、中空部側にボルトの頭部及び／又はナットが摺動可能に挿入できる取付溝が形成され、該取付溝を用いて照明装置が固定されれば、照明装置を容易且つ確実に上下横枠材に固定できると共に、照明装置の位置合わせが容易となり好ましい。
【発明を実施するための最良の形態】
【００１４】
本発明に係わる最良の実施の形態について、図面に基づき以下に具体的に説明する。
図１〜図５は本発明に係わる内照式情報表示装置の実施の一形態を示すもので、まず図１は、内照式情報表示装置を示す表示板を一部切り欠いた状態での正面図である。内照式情報表示装置１０は、上下横枠材１１と左右縦枠材１２により形成された枠体１により中空部２が形成され、中空部２に照明装置３が配置され、照明装置３より放出された光を枠体１の正面側に、中空部２を覆うように設けられた透光性の表示板４を透過させて情報を表示する。
【００１５】
上下横枠材１１と左右縦枠材１２との間には、枠体１の形状を保持する補強材１３がそれぞれに固定されて取り付けられている。また表示板４は、上下横取付枠５１及び左右縦取付枠５２により囲まれて保持されるものである。一方の左右縦枠材１２は、壁面Ｈに壁面取付部材２０を介してアンカーボルトＡ及び締結手段Ｔ１により片持ち状に固定され、上側の上下横枠材１１に取り付けられたアイボルトＥには壁面Ｈから延びる落下防止用ワイヤーＷが取り付けられている。
【００１６】
図２は、上下横枠材１１の断面形状を示す側面図である。上下横枠材１１は、上面又は下面を形成する板部１１１の中空部側（図中では下面側）に、照明装置や補強材を固定するのに用いられるボルトの頭部やナットが摺動可能に挿入できる取付溝１１２が形成されている。また、板部１１１の左右には、取着された取付枠５がヒンジ構造となるよう、内部が円弧状となされたヒンジ溝１１３が形成され、更にヒンジ溝１１３の左右端の壁面には、パッキンを摺動可能に取り付けることができ、取り付けたパッキンが外れないように蟻溝状となされたパッキン取付溝１１４が形成されている。また、ヒンジ溝１１３内に突出するように、表示板４及び取付枠５の開閉の支点となる回動支点部１１５が設けられている。
【００１７】
上下横枠材１１には、強度保持用のリブ１１６が形成されて上下方向からの曲げ荷重に対しての強度が高められていることで、情報表示装置１０が片持ち状となされていても強度補強材の必要がなく変形等の不具合を防止できる。強度保持用のリブ１１６は本実施形態に示す如くヒンジ溝１１３の円弧状部分に設けられていれば円弧形状との相乗効果により荷重に対する強度は更に高められるが、特にその箇所に限定されるものではなく、板部１１１の下面など任意の箇所に設けてよい。上下横枠材１１にアルミニウム押出形材を用いていることで、上述の軽量化に加え、板部１１１、取付溝１１２、ヒンジ溝１１３、パッキン溝１１４、回動支点部１１５及び強度保持用のリブ１１６といった複雑な形状を、極めて容易に一体且つ連続して形成することができる。また、両面に表示板４を取り付けるようにするのも容易である。
【００１８】
図３は、表示板４を保持する取付枠５の断面形状を示す側面図である。取付枠５は横板部５１及び縦板部５２により外縁がＬ字状の形状となされ、情報表示装置１０の角部分を形成する。横板部５１には、外縁側及びその反対側に、ビス螺着用のＶ溝５３及び５４が形成され、端部には上下横枠材１１とヒンジ構造を形成したときの廻りすぎを防止する廻り止め部５５が形成されている。縦板部５２には、表示板押さえ部５６と、ビスを螺着してそのビスの頭部と表示板押さえ部５６とで表示板４を挟持して保持するように、ねじ山が螺刻されたビス孔５７が形成されている。上下横枠材１１と同様に、取付枠５もアルミニウム等の押出形材を用いれば、複雑な形状を容易に一体且つ連続して形成することができる。
【００１９】
図４は、上下横枠材１１への表示板４及び取付枠５の取り付けを示す側面図である。まず上下横枠材１１には、取付溝１１２にボルトＴ２の頭部が摺動可能に挿入され、パッキン溝１１４の蟻溝状の開口部分付近に密着するようにパッキン６が摺動されて取着される。取付枠５には、表示板押さえ部５６に表示板４の一端付近の面が接触された状態で、ビス孔５７にビスＢ２のねじ部Ｂ２２が螺着されて締め付けられることで、ビスＢ２の頭部Ｂ２１と表示板押さえ部５６とで表示板４が挟持されて表示板４は取付枠５に固定される。ビスＢ２は取付枠５の長さ方向に沿って適宜複数箇所螺着することで表示板４を確実に固定することができる。
【００２０】
更にＶ溝５３及び５４を用いて横板部５１にビスＢ１を螺着する。ビスＢ１の螺着は、図中の点線矢印に示すように横板部５１に設けられた廻り止め部５５を上下横枠材１１の板部１１１端部の下方に挿入してから行うことで、ビスＢ１を外さない限りヒンジ溝１１３に挿入された取付枠５が外れなくなり、表示板４を安定して開閉させることができ好ましい。ビスＢ１と回動支点部１１５により、取付枠５を備える表示板４は上下横枠材１１と嵌合してヒンジ構造となり、ヒンジ構造により中空部に対して開閉可能となされる。そのヒンジ構造において、表示板４の開閉における支点として荷重のかかる回動支点部１１５の途中に強度補強用のリブ１１６が形成されていることで、強度補強用のリブ１１６は上下方向からの曲げ荷重のみならず、ヒンジ溝１１３の形状を保持するのにも有益となり得る。
【００２１】
図５は、図２〜図４に示した上下横枠材及び取付枠を用いて形成した情報表示装置の、図１におけるＡ−Ａ断面を示す断面図である。枠体１により形成された中空部２を覆うように、枠体１の左右両側に表示板４Ａ及び４Ｂが設けられ、閉じられて中空部２を覆っている表示板４Ａについては、ビスＢ２が螺着されることにより取付枠５に固定され、上下横枠材１１のパッキン溝１１４に取り付けられたパッキン６と取付枠５の表示板押さえ部５６の間に挟持されることで、パッキン６により中空部２への水や塵埃の侵入が防止され、且つ表示板４の風圧や振動による動揺が抑えられる。
【００２２】
また、メンテナンス等を行うにおいて、表示部４Ｂをヒンジ構造を中心に回動させ、中空部２を開放した場合、ヒンジ溝１１３内でビス２１が引っかかることで、取付枠５は上下横枠材１１から外れることがなく、安定して中空部２を開放することができる。また照明装置３は、光源３１がステー３２に固定され、ステー３２がＬ字アングル３３に取り付けられて、更にＬ字アングル３３が、上下横枠材１１の取付溝１１２に摺動可能に挿入された締結手段Ｔ２により上下横枠材１１の中空部２側に取付溝１１２を用いて照明装置が固定される。
【００２３】
情報表示装置１０を形成するにおいて、上方のみに本発明に係わる上下横枠材１１Ａ及び取付枠５を用いてもよいが、本実施形態に示す如く、上下両方に図２〜図４に示した上下横枠材１１及び取付枠５を用いることができる。上下両方に上下横枠材１１Ａ及び１１Ｂ、取付枠５を用いることで同一の形材を兼用することができ、押出金型の種類を減らすことができると共に、表示板４を回動させて中空部２を開放する際には下方の取付枠５においてもビスＢ１を取り外すのみで表示板４が回動可能となり、容易な機構での表示板４の開閉が可能となる。
【図面の簡単な説明】
【００２４】
【図１】本発明に係わる内照式情報表示装置の、実施の一形態を示す正面図である。
【図２】本発明に係わる上下横枠材の断面形状を示す側面図である。
【図３】本発明に係わる取付枠の断面形状を示す側面図である。
【図４】上下横枠材と取付枠の取り付けを示す側面図である。
【図５】図１のＡ−Ａ断面図である。
【符号の説明】
【００２５】
１    枠体
１１  上下横枠材
１２  左右縦枠材
１１２  取付溝
１１３  ヒンジ溝
１１６  強度保持用のリブ
２    中空部
３    照明装置
４    表示板
５    取付枠
６    パッキン
１０  情報表示装置
【図１】
2005049735.tif 000002
【図２】
2005049735.tif 000003
【図３】
2005049735.tif 000004
【図４】
2005049735.tif 000005
【図５】
2005049735.tif 000006